(57)【要約】【課題】口栓付き液体用紙容器の使用後の空容器を廃棄するときなどに、簡単に口栓を切り取ることのできる口栓切り取り冶具を提供する。【解決手段】口栓付き液体用紙容器の口栓を液体用紙容器本体から切り取るための口栓切り取り冶具であって、冶具本体と押し棒とカッターからなり、冶具本体には、液体用紙容器本体に取り付けられている口栓を収納する下が開放された口栓収納部と、口栓収納部に収納された口栓の下部をカッターが切断するように誘導するためのガイドと、押し棒が通り、口栓収納部に上方から連通する貫通孔を有する。【選択図】図２
2014012305.tif 000002
【特許請求の範囲】
【請求項１】
口栓付き液体用紙容器の口栓を液体用紙容器本体から切り取るための口栓切り取り冶具であって、
冶具本体と押し棒とカッターからなり、前記冶具本体には、前記液体用紙容器本体に取り付けられている前記口栓を収納する下が開放された口栓収納部と、該口栓収納部に収納された前記口栓の下部を前記カッターが切断するように誘導するためのガイドと、前記押し棒が通り、前記口栓収納部に上方から連通する貫通孔を有することを特徴とする口栓切り取り冶具。
【発明の詳細な説明】
【技術分野】
【０００１】
本発明は、口栓切り取り冶具に関するものである。
【背景技術】
【０００２】
食品や非食品の液体内容物に使用される液体用紙容器は、果汁飲料、ジュース、お茶、コーヒー、乳飲料、スープ等の液体飲料、日本酒、焼酎等の酒類に広く用いられている。この液体用紙容器は、紙層と紙層の内面に熱可塑性樹脂によるシーラント層が設けられた積層材料からなり、紙層とシーラント層の間にアルミ箔やアルミ蒸着フィルム、あるいは、無機酸化物蒸着フィルムなどのバリア性のある層を設け、更に頂部に口栓を設けたものがある（例えば、特許文献１）。
【０００３】
近年、環境保全の問題から使用後の空容器の分別収集や、廃棄物の減容化が行われるより、廃棄の際に空容器を解体することが行われている。しかし、頂部に口栓を設けた液体用紙容器では、口栓が強固に溶着しているため、この口栓を分離することは難しい。
【０００４】
例えば、液体用紙容器のトップシール部を開口して、ハサミ等で口栓の周りを切って分離したりすることは、トップシール部の熱融着による封鎖が強固であるため、手でトップシール部を開口するのが難しい。
【０００５】
また、カッターナイフやハサミ等で、口栓の根元を切断して切り取ることは、かなりの力を必要とし、安定してきることができず、ケガをする恐れもある。また、口栓のキャップのみを取り外して、スパウトが付いたまま廃棄すると、プラスチックが多くなり、紙パックとして、あるいは、紙として分別廃棄して、リサイクルに廻すことができない。
公知文献を以下に示す。
【先行技術文献】
【特許文献】
【０００６】
【特許文献１】特開平６−３１２７３８号公報
【発明の概要】
【発明が解決しようとする課題】
【０００７】
本発明は係る課題に鑑みなされたものであり、口栓付き液体用紙容器の使用後の空容器を廃棄するときなどに、簡単に口栓を切り取ることのできる口栓切り取り冶具を提供することを課題とする。
【課題を解決するための手段】
【０００８】
本発明の請求項１の発明は、口栓付き液体用紙容器の口栓を液体用紙容器本体から切り取るための口栓切り取り冶具であって、
冶具本体と押し棒とカッターからなり、前記冶具本体には、前記液体用紙容器本体に取り付けられている前記口栓を収納する下が開放された口栓収納部と、該口栓収納部に収納された前記口栓の下部を前記カッターが切断するように誘導するためのガイドと、前記押し棒が通り、前記口栓収納部に上方から連通する貫通孔を有することを特徴とする口栓切り取り冶具である。
【発明の効果】
【０００９】
本発明の口栓切り取り冶具は、使用後の空容器を廃棄するときなどに、簡単に口栓を切り取ることができる。
【図面の簡単な説明】
【００１０】
【図１】本発明の口栓切り取り冶具の一例を模式的に平面で示した説明図である。
【図２】本発明の口栓切り取り冶具の一例を液体用紙容器に取り付けられた口栓にかぶせた状態を、模式的に冶具本体部分を断面で示した説明図である。
【図３】本発明の口栓切り取り冶具の一例のカッターを押し込んだ状態を模式的に平面で示した説明図である。
【図４】本発明の口栓切り取り冶具の一例を液体用紙容器に取り付けられた口栓にかぶせてカッターを押し込んだ状態を、模式的に冶具本体部分を断面で示した説明図である。
【図５】本発明の口栓切り取り冶具の一例で切り取った口栓を取り出す状態を、模式的に冶具本体部分を断面で示した説明図である。
【図６】（Ａ）、（Ｂ）、（Ｃ）本発明の口栓切り取り冶具の一例のカッターの形状を模式的に平面で示した説明図である。
【図７】本発明の口栓切り取り冶具の一例が用いられる口栓付液体用紙容器を模式的に斜視で示した説明図である。（Ａ）切妻屋根型の液体用紙容器である。（Ｂ）平屋根型の液体用紙容器である。（Ｃ）片屋根型の液体用紙容器である。（Ｄ）レンガ型の液体用紙容器である。
【発明を実施するための形態】
【００１１】
以下、本発明を実施するための形態につき説明する。
図１は、本発明の口栓切り取り冶具の一例を模式的に平面で示した説明図、図２は、本発明の口栓切り取り冶具の一例を液体用紙容器に取り付けられた口栓にかぶせた状態を、模式的に冶具本体部分を断面で示した説明図である。
【００１２】
本例の口栓切り取り冶具１００は、図１の平面図のように、冶具本体１と押し棒２とカッター３からなっている。冶具本体１には、液体用紙容器に取り付けられている口栓５を収納する下が開放された口栓収納部１１と、口栓収納部１１に収納された口栓５の下部をカッター３が切断するように移動するためのガイド１２が設けられている。
【００１３】
そして、図２の冶具本体部分を断面で示した説明図のように、押し棒２が通り、口栓収納部１１に上方から連通する貫通孔１３が設けられている。本例においては、押し棒２は、中間が円柱形の棒状部２１で上端に押しやすくなるように太くした押し部２２と、下端に押し棒２が上に抜けないように太くなっている止め部２３からなっていて、貫通孔１３も棒状部２１が上下に移動可能に保持されるように円柱形の孔になっている。
【００１４】
また、棒状部２１は本例では、貫通孔１３のなかを上下には自由に動くようになっているが、スプリングを設けて、フリーの状態では常に、上に上がっているようにしてもよい。例えば、押し部２２と冶具本体１の間で棒状部２１を巻くようにスプリングを設けて、押さない限りは、押し部２２が上に上がっていて、冶具本体１と離れているようにしてもよい。
【００１５】
中間の棒状部２１の形状は、円柱形に限ることなく、四角柱形や、六角柱形、八角柱形などの柱形状であればよく、また、貫通孔１３の孔形状も、これに合わせた形状とすればよい。
【００１６】
口栓収納部１１は、液体用容器本体４に取り付けられている口栓５の根元より上の部分が収納可能な大きさの形状であればよい。本例では、口栓５の外形に合わせた円柱形になっている。また、大きさは、口栓５より若干径が大きい程度にして、中で口栓５があまり動かないようにする。本例では、口栓収納部１１の内周面にベアリング１４が取り付けられていて、ベアリング１４で周りから押されて保持されている。そして、貫通孔１３が、冶具本体１の上面から、口栓収納部１１の上端に貫通して設けられている。
【００１７】
また、口栓収納部１１の下部には、カッター３が切断するように移動するためのガイド１２が設けられ、カッター３が移動可能に挿し込まれている。カッター３の刃先３１と反対側には、カッター３を押し込むために、指などで押す面積を広くした押し部３２が設けられている。
【００１８】
本例においてガイド１２は、カッター３を挿し込める穴状としたが、下が開放されている溝状としてもよい。刃先３１を口栓５の根元を切断するように誘導できればよい。
【００１９】
この口栓切り取り冶具１００は、液体用紙容器本体４の頂部に取り付けられた口栓５に被せられ、口栓５を口栓収納部１１に収納した状態で、口栓５を切り取る前の状態である。
【００２０】
口栓切り取り冶具１００の口栓収納部１１の主要部は、プラスチックの成形により製造されているが、この部分を金属で製造しても構わない。そして、金属製などのベアリング１４が、埋め込まれている。
【００２１】
また、押し棒２もプラスチックの成形により製造されているが、必ずしもこれに限ることはなく、金属製や、あるいは、木製であっても構わない。また、カッター３は、刃先３１などの刃の部分は金属製あるいはセラミック製でもよい。カッター３の押し部３２も、特に材質を限定せず、プラスチック製や、金属製、あるいは、木製であってもよい。
【００２２】
尚、本例の口栓切り取り冶具１００の冶具本体１の外形状は円柱形状であるが、本発明の口栓切り取り冶具においては、これに限られることはない。例えば、半球形状でも、直方体形状でも構わない。
【００２３】
図３は、本発明の口栓切り取り冶具の一例のカッターを押し込んだ状態を模式的に平面で示した説明図、図４は、本発明の口栓切り取り冶具の一例を液体用紙容器に取り付けられた口栓にかぶせてカッターを押し込んだ状態を、模式的に冶具本体部分を断面で示した説明図、図５は、本発明の口栓切り取り冶具の一例で切り取った口栓を取り出す状態を、模式的に冶具本体部分を断面で示した説明図である。
【００２４】
押し部３２を押して、カッター３をガイド１２に沿って、押し込むと、図３、図４のように、カッター３の刃先３１が、口栓５の根元部を切断する。このようにすることで、液体用紙容器本体４に口栓５の根元部分から下の主に液体用紙容器本体４との溶着部分は残るが、根元部分より上の口栓５は、容器本体４から切り取ることができる。
【００２５】
このように、根元部分より上の口栓５が切り取られるので、液体用紙容器本体４には、口栓５の根元部分から下のみが残り、折畳んで束ねるときにじゃまにならず、減容化できる。また、口栓５のほとんどの部分が取り除かれるので、紙パック、あるいは、紙として、分別して廃棄することができる。
【００２６】
また、根元部分より上の口栓５は、図５のように、押し棒２の押し部２２を上から下に押せば、取り出すことができる。こうして、根元部分より上の口栓５は、プラスチックゴミとして、分別して廃棄することができる。
【００２７】
図６は、本発明の口栓切り取り冶具の一例のカッターの形状を模式的に平面で示した説明図である。
【００２８】
口栓切り取り冶具１００では、カッターの形状を図６（Ａ）のように、刃先３１の中央が飛び出た山形としたが、これに限られるものではない。図６（Ｂ）のように、切り出しナイフの様な、刃先３１が斜めになっていてもよい。また、図６（Ｃ）のように、幅方向の両側が飛び出していて、中間が窪んだ形状になっていてもよい。
【００２９】
また、口栓切り取り冶具１００では、カッター３を１つ設けてあるが、冶具本体１の対向する位置に、もう１つ設けるようにして、２本の指で両方のカッター３の押し部３２を挟み込んで持って、押し込むようにして、口栓５を切るようにしてもよい。更には、カッター３を押し込みながら、回転させて、口栓５を切るようにしてもよい。
【００３０】
本発明の口栓切り取り冶具で口栓を切り取る口栓付き液体用紙容器は、板紙を主基材として、その内面に熱可塑性樹脂層が設けられている積層体を製函してその頂部に口栓が取り付けられたものである。積層体の外面にも熱可塑性樹脂層が設けられていてもよいし、内面に熱可塑性樹脂層と板紙との間に、樹脂フィルムやアルミ箔、あるいは金属や無機物の蒸着層が単独あるいは組み合わされたバリア層が設けられていてもよい。
【００３１】
図７は、本発明の口栓切り取り冶具の一例が用いられる口栓付液体用紙容器を模式的に斜視で示した説明図である。（Ａ）切妻屋根型の液体用紙容器である。（Ｂ）平屋根型の液体用紙容器である。（Ｃ）片屋根型の液体用紙容器である。（Ｄ）レンガ型の液体用紙容器である。
【００３２】
本発明で対象となる口栓付き液体用紙容器の形状に特に制限はない。例えば、液体用紙容器本体４が、頂部４１、胴部４２、底部４３からなり、頂部４１に口栓５が取り付けられている形状の液体用紙容器が例示される。
【００３３】
図７（Ａ）は、切妻屋根型の液体用紙容器である。この口栓付き液体用紙容器は、胴部４２が正面板４２１とそれに対向する背面板とその間の２つの側面板４２２からなり、頂部４１は、正面板４２１、背面板の上方にそれぞれ連設された一組の屋根板４１１が設けられ、屋根板４１１の一方に口栓５が溶着されて取り付けられている。
【００３４】
２つの側面板４２２の上方にはそれぞれ三角形状の折り込み片４１２が設けられ、折り込み片４１２に連設されると共に、屋根板４１１に連設された折り返し片が設けられ、折り込み片４１２を内方に折り込み、トップシール部４１３をシールして作成されている。
【００３５】
切妻屋根型の液体用紙容器の場合は、屋根板４１１の縦方向の長さを、側面板４２２の幅方向の長さの半分より長くして、屋根板４１１が傾斜して切妻屋根型になるように形成されている。
【００３６】
図７（Ｂ）は、平屋根型の液体用紙容器である。この液体用紙容器は、平屋根型の液体用紙容器と略同様であるが、屋根板４１１の縦方向の長さを、側面板４２２の幅方向の長さの略半分にして、屋根板４１１が略平面になるように形成されている。
【００３７】
図７（Ｃ）は、片屋根型の液体用紙容器である。この液体用紙容器では、側面板４２２の形状を図のように変えて、片側の屋根板４１１が傾斜して、反対側の屋根板４１１が水平になるようになっているが、前の２つと同様な方法で製造することができる。
【００３８】
図７（Ｄ）レンガ型の液体用紙容器である。上記３種の液体紙容器と頂部４１が異なり、三角形状の折り込み片は設けず、屋根板４１１を水平に倒して、上部の開口部をシールしてトップシール部４１３を設け、側面板４２２より外側に出た上部両端部を側面板４２２に沿うように下に折って製造される。
【００３９】
以上、本発明で対象となる口栓付き液体用紙容器の形状について、例示したが、本発明が対象とする液体用紙容器の形状は、これに制限されない。
【符号の説明】
【００４０】
１００・・・口栓切り取り冶具
１・・・冶具本体
１１・・・口栓収納部
１２・・・ガイド
１３・・・貫通孔
１４・・・ベアリング
２・・・押し棒
２１・・・棒状部
２２・・・押し部
２３・・・止め部
３・・・カッター
３１・・・刃先
３２・・・押し部
４・・・液体用紙容器本体
４１・・・頂部
４１１・・・屋根板
４１２・・・折り込み片
４１３・・・トップシール部
４２・・・胴部
４２１・・・正面板
４２２・・・側面板
４３・・・底部
５・・・口栓
【図１】
2014012305.tif 000003
【図２】
2014012305.tif 000004
【図３】
2014012305.tif 000005
【図４】
2014012305.tif 000006
【図５】
2014012305.tif 000007
【図６】
2014012305.tif 000008
【図７】
2014012305.tif 000009